(57)【要約】      （修正有）【課題】衛生的で簡単な構造で確実に支持させ、係脱の操作がし易い風呂蓋の支持装置を提供する。【解決手段】支持装置が風呂蓋の下部を支持するほぼ直方体形状の固着部材と板状の係止部材とからなる端面が上向きＬ形状の鈎形を呈する左右一対の下側支持体と、風呂蓋の上部を支持するほぼ直方体形状の固着部材２１と板状の係止部材２２とからなる端面が下向きＬ形状の鈎形を呈する少なくとも１つの上側支持体２とからなり、上側支持体２が係止部材２２を上下方向に昇降可能で下降した状態で風呂蓋を係止状態とし、上昇させた状態で風呂蓋の係止状態を解除可能とした。【選択図】図１
2014147405.tif 000002
【特許請求の範囲】
【請求項１】
風呂蓋を浴室の壁面に設置した支持部材に支持させて前記壁面に沿わせた状態で支持する風呂蓋の支持装置であって、前記支持装置が前記風呂蓋の下部を支持するほぼ直方体形状の固着部材と板状の係止部材とからなる端面が上向きＬ形状の鈎形を呈する左右一対の下側支持体と、風呂蓋の上部を支持するほぼ直方体形状の固着部材と板状の係止部材とからなる端面が下向きＬ形状の鈎形を呈する少なくとも１つの上側支持体とからなり、前記上側支持体が係止部材を上下方向に昇降可能で下降した状態で前記風呂蓋を係止状態とし、上昇させた状態で前記風呂蓋の係止状態を解除可能としたことを特徴とする風呂蓋の支持装置。
【請求項２】
前記上側支持体が、前記浴室の壁面への固着部材と、前記固着部材に所定の距離にわたって昇降可能に嵌装される係止部材と、前記係止部材の少なくとも頂面、正面および両側面を被覆するカバー体とからなることを特徴とする請求項１記載の風呂蓋の支持装置。
【請求項３】
前記固着部材と係止部材とは、一方に係止突起が設置されているとともに、もう一方に前記係止突起に係止する先端に係止突起を有する弾性係止片が設置されている請求項１または２記載の風呂蓋の支持装置。
【請求項４】
前記固着部材に同一形状で長さが異なるスペーサが配置される請求項１，２または３記載の風呂蓋の支持装置。
【請求項５】
前記固着部材またはカバー体の少なくとも一方の頂面が屋根形に中央を高くして湾曲しており水滴が停滞せずに流れ落ちることを特徴とする請求項１，２，３または４に記載の風呂蓋の支持装置。
【請求項６】
前記カバー体の側面に凹凸による滑り止め加工が形成されている請求項１，２，３，４または５に記載の風呂蓋の支持装置。
【発明の詳細な説明】
【技術分野】
【０００１】
本発明は、風呂蓋、特に、分割した板状の風呂蓋を浴室の壁面に支持するための支持装置に関するものである。
【背景技術】
【０００２】
従来から、浴槽に使用する風呂蓋として分割した板状のものが知られており、入浴時には浴槽から取り外して重ねた状態で洗い場に立て掛けて使用するのが一般的であるが、この場合には、風呂蓋が洗い場の一部を占有し、身体を洗う場合に邪魔となるという問題がある。
【０００３】
そこで、例えば、図１４に示した実開平２−２２１８４号公報に示されるように、浴室６の例えば浴槽４に接する壁面６１に形成した収容部６２に支持部材２ａを配置してこれらの支持部材２ａに風呂蓋５を出し入れ自在に嵌装支持するものが知られている。
【０００４】
このような風呂蓋５を壁面６１に形成した収容部６２に出し入れする構造では、壁面６１に所定の孔状の収容部６２を形成する必要があり構造が複雑となってコストが嵩むばかりでなく、所定の厚さの壁を有していない浴室では設置できず、さらには、収容部６２に結露した水滴が浸入して滞留するために汚れを生じやすいという問題がある。
【０００５】
一方で、実開平２−１１４８１号公報に示されている風呂蓋支持具は簡単な構成で、確実に風呂蓋を支持する支持装置が提示されている。この支持装置は、図１５に示すように風呂蓋５の下部５１を下から支持する上向きに開放したＬ形の下側支持体３，３と、風呂蓋５の上部５２を支持する下向きに開放したＬ形の上側支持体２とからなるものであり、特に、図１６に示したものは、上側支持体２の支持板２ｂを回転可能にして下向きにした状態で風呂蓋５を係止状態とし、或いは風呂蓋５の係止状態を解除可能としたものであり、固定した上側支持体２に風呂蓋５を挟み込むように支持させることを必要とせず、風呂蓋５を下側支持体３，３に支持させた状態で上側支持体２の支持部材２ａを回転させるだけで係止ならびに解除することができるので支持操作が容易であり、特に、比較的重量のある風呂蓋５であっても簡単に支持できるので子供や老人など比較的非力であっても扱い易いという利点がある。
【０００６】
ところが、この公報に提示された風呂蓋の支持装置は、支持部材２ａの回動により係止ならびに解除を操作することから、風呂蓋５を片手で支持した状態で支持板２ｂも解除方向に操作しなければならず操作がしにくいという問題がある。
【先行技術文献】
【特許文献】
【０００７】
【特許文献１】実開平２−２２１８４号公報
【特許文献２】実開平２−１１４８１号公報
【発明の概要】
【発明が解決しようとする課題】
【０００８】
本発明は、前記従来の風呂蓋の支持装置が有する問題点を解決するものであり、衛生的で簡単な構造で確実に支持させることはいうまでもなく、特に、係脱の操作がし易い風呂蓋の支持装置を提供するものである。
【課題を解決するための手段】
【０００９】
前記課題を解決するためになされた本発明の風呂蓋の支持装置は風呂蓋を浴室の壁面に設置した支持部材に支持させて前記壁面に沿わせた状態で支持する風呂蓋の支持装置であって、前記支持装置が前記風呂蓋の下部を支持するほぼ直方体形状の固着部材と板状の係止部材とからなる端面が上向きＬ形状の鈎形を呈する左右一対の下側支持体と、風呂蓋の上部を支持するほぼ直方体形状の固着部材と板状の係止部材とからなる端面が下向きＬ形状の鈎形を呈する少なくとも１つの上側支持体とからなり、前記上側支持体が係止部材を上下方向に昇降可能で下降した状態で前記風呂蓋を係止状態とし、上昇させた状態で前記風呂蓋の係止状態を解除可能としたことを特徴とする。
【００１０】
また、本発明において、上側支持体が、前記浴室の壁面への固着部材と、前記固着部材に所定の距離にわたって昇降可能に嵌装される係止部材と、前記係止部材の少なくとも頂面、正面および両側面を被覆するカバー体とからなることを特徴とすることにより、製造ならびに取付けが簡単であり、前記固着部材に同一形状で長さが異なるスペーサが配置されることにより、風呂蓋の重ねる枚数に対応することができる。
【００１１】
更に、本発明において、前記固着部材と係止部材とは、一方に係止突起が設置されているとともに、もう一方に前記係止突起に係止する先端に係止突起を有する弾性係止片が設置されている構成とすることにより、係止部材を所定の昇降位置に確実に保持させておくことができる。
【００１２】
更にまた、前記固着部材またはカバー体の少なくとも一方の頂面が屋根形に中央を高く湾曲しており水滴が停滞せずに流れ落ちることにより、水滴が付着して汚染すること防止する。
【００１３】
加えて、前記カバー体の側面に凹凸による滑り止め加工が形成されている場合にはカバー体を掴んだときに指が滑ることがないので確実に掴んで操作することができる。
【発明の効果】
【００１４】
本発明によれば、衛生的で簡単な構造で確実に支持させることはいうまでもなく、特に、係脱の操作がし易い風呂蓋の支持装置を提供することができるものである。
【図面の簡単な説明】
【００１５】
【図１】本発明の上側支持体についての好ましい実施の形態を示す斜視図であり、（ａ）は正面側から見た上側支持体の斜視図、（ｂ）は背面側から見た上側支持体の斜視図である。
【図２】は図１に示した実施の形態の上側支持体からカバー体を外した状態の斜視図を示す分解斜視図である。
【図３】図１に示した上側支持体の分解斜視図である。
【図４】図１の上側支持体または図１１の下側支持体に用いられるカバー体の斜視図であり、（ａ）及び（ｂ）は正面側から見たそれぞれ異なる実施形態のカバー体の斜視図であり、（ｃ）は前記（ａ）及び（ｂ）の実施の形態についての背面側から見たカバー体の斜視図である。
【図５】図１に示した実施の形態に用いられる固着部材を示すもので、（ａ）は正面側から見た斜視図、（ｂ）は背面側から見た斜視図、（ｃ）は正面図、（ｄ）は側面図、（ｅ）は背面図である。
【図６】（ａ）は図５に示した固着部材の正面側から見た斜視図の拡大図であり、（ｂ）は図５に示した固着部材の正面図の拡大図である。
【図７】（ａ）は図２に示した係止部材の正面図、（ｂ）は図２に示した係止部材の正面斜視図、（ｃ）は図２に示した係止部材の背面図、（ｄ）は図２に示した係止部材の背面斜視図である。
【図８】（ａ）図１に示した上側支持体のカバー体を外した状態の正面図である（Ａ−Ａ線は（ｂ）及び（ｃ）の縦断位置を示している）。（ｂ）図１に示した上側支持体のＡ−Ａ縦断面図（解除状態）である。（ｃ）図１に示した上側支持体のＡ−Ａ縦断面図（係止状態）である。
【図９】（ａ）は図１に示した上側支持体の正面図である（Ｂ−Ｂ線は（ｂ）及び（ｃ）の縦断位置を示している）。（ｂ）は図１に示した上側支持体のＢ−Ｂ横断面図、（ｃ）は図９（ｂ）の部分拡大図である。
【図１０】図１に示した実施の形態についての係止状態から解除状態（鎖線で示す）を示す正面斜視図である。
【図１１】（ａ）は図１に示した上側支持体の正面図である（Ｃ−Ｃ線は（ｂ）及び（ｃ）の縦断位置を示している）。（ｂ）は図１に示した上側支持体の壁面設置状態を表したＣ−Ｃ縦断面説明図（解除状態）である。（ｃ）は図１に示した上側支持体の壁面設置状態を表したＣ−Ｃ縦断面説明図（係止状態）である。
【図１２】本発明の下側支持体についての実施の形態を示すものであり、（ａ）はカバー体を外した状態の正面側から見た斜視図、（ｂ）は背面側から見た斜視図、（ｃ）はカバー体を外した状態の正面図、（ｄ）は側面図、（ｅ）は背面図である。
【図１３】図１及び図１２に示した実施の形態に用いるスペーサを示すものであり、（ａ）は上側支持体または下側支持体と固着する方向から見た斜視図、（ｂ）は壁面に固着する方向から見た斜視図（パッキンなし）、（ｃ）は上側支持体におけるスペーサ使用状態を示す説明図、（ｄ）は下側支持体におけるスペーサ使用状態を示す説明図である。
【図１４】従来例を示す説明図。
【図１５】図１４とは異なる従来例および本発明の実施の形態についての使用例を示すものである。
【図１６】図１５に示した従来例の上側支持体の操作を示す説明図である。
【発明を実施するための形態】
【００１６】
次に、本発明を好ましい実施の形態に基づいて詳細に説明する。
【００１７】
図１乃至図１３は本発明の好ましい実施の形態を示すものであり、前記図１５に示した従来例と同様に、支持装置１は例えば二枚に分割された風呂蓋５，５を重ねて浴室６の壁面６１に沿わせた状態で支持するものであり、風呂蓋５の下部５１を支持する例えば一対の下側支持体３，３と風呂蓋５の上部５２を支持する上側支持体２とからなり、特に、下側支持体３，３に風呂蓋５の下部５１を支持させた後、下降させて風呂蓋５の上部５２を上側支持体２により係止して支持するものである。
【００１８】
図１乃至図１１は主に本発明における前記風呂蓋５の上部５２を支持する上側支持体２の好ましい実施の形態を示すものであり、図１乃至図３に示すように、上側支持体２は、ほぼ直方体形状の固着部材２１と前記固着部材２１の正面側において所定の距離にわたって昇降可能に嵌装される板状の係止部材２２とからなる端面が下向きＬ形状の鈎形を呈するものであり、更に、係止部材２２の少なくとも頂面、正面および両側面がカバー体７に覆われているとともに、前記固着部材背面にパッキン９が配置されている。
【００１９】
更に詳しく説明すると、前記固着部材２１は図５及び図６に示すようにほぼ直方体を呈するとともにその正面から背面に掛けて上下一対の前記図１５に示したように浴室６の壁面６１の所定位置に固着するためのねじ孔２１１，２１１が貫通して形成されているとともに、正面の前記ねじ孔２１１，２１１を挟んで横方向の両側に左右一対の縦方向に延びるとともに外側に向けた嵌挿溝条２１２，２１２を形成した突条２１３，２１３が形成される。
【００２０】
また、図６に示すように、前記突条２１３，２１３は、嵌挿溝条２１２，２１２の正面
側に上下の所定位置に係止突起２１４，２１５をそれぞれ内側に配置した係止凹部２１７，２１８を有する溝条２１６，２１６が形成されている。
【００２１】
また、固着部材２１の背面である取付け面には、前記図１５に示したように浴室６の壁面６１に前記風呂蓋支持具を取り付けた際に壁面６１の取付け部分に水分が侵入して取付けられたねじ１０（図１１参照）や壁面６１が腐蝕したりするのを防止するためのパッキン９が嵌挿配置されている。
【００２２】
続いて、図７に示すように、ほぼ板状の係止部材２２は、図７（ｃ）及び（ｄ）示す背面側に設けられた溝条２２１，２２１で、固着部材２１の正面側に形成された突条２１３，２１３と摺動自在に嵌挿される（図３、図８、図９）。
【００２３】
前記固着部材２１と係止部材２２との嵌挿構造についてさらに詳述すると、本実施の形態においては、図６に示した固着部材２１の突条２１３，２１３の側面部に設けられた嵌挿溝条２１２，２１２に、図７に示したように、係止部材２２は一対の対応する嵌挿突条２２２，２２２を備えるとともに、前記係止部材２２の溝条２２１上に形成された一対の先端に係止突起を有する弾性係止片２２３，２２３が、前記固着部材２１の一対の突条２１３，２１３に設けられた一対の溝条２１６，２１６内を所定の範囲に移動することにより昇降する（図１０）。なお、本実施の形態において、嵌挿突条２２２は複数個に分割されて配置されているが、固着部材２１との係止を妨げない範囲において連通して設けてもよい。
【００２４】
さらに、前記固着部材２１と前記係止部材２２の昇降機構について、図８（ｂ）、（ｃ）縦断面図に示したように、本実施の形態においては、係止時および解除時に係止部材２２を確実に係止するために、前記係止部材２２に設けられた一対の先端に係止突起を有する弾性係止片２２３，２２３と係止する一対の係止突起２１４，２１５、及び係止凹部２１７，２１８を固着部材２１の突条２１３に設けられた溝条２１６の両端部に配置した。
【００２５】
そして係止部材２２を解除状態で固定する場合には、図８（ｂ）に示すように、前記係止部材２２の先端に係止突起を有する弾性係止片２２３を固着部材２１の突条２１３に設けられた溝条２１６内を上方向へ移動させると、前記先端に係止突起を有する弾性係止片２２３は前記係止突起２１４に当接し、さらに所定の力が加えられると、前記先端に係止突起を有する弾性係止片２２３は、前記係止突起２１４を乗り越えて、前記係止凹部２１７に係止されて停止させることにより、係止部材２２を解除状態で係止させる。
【００２６】
一方、係止部材２２を係止状態にする場合には、係止部材２２に下方向の所定の力を加えることにより、図８（ｃ）に示すように、係止凹部２１７と先端に係止突起を有する弾性係止片２２３との係合が係止突起２１４を乗り越えることにより解除されて下方向に所定の距離移動し、前記先端に係止突起を有する弾性係止片２２３は係止突起２１５を乗り越えて係止凹部２１８に前記先端に係止突起を有する弾性係止片２２３は係止され、係止部材２２を係止状態とする。
【００２７】
本実施の形態においては、係止部材２２の先端に係止突起を有する弾性係止片２２３の固定可能位置として、解除状態（図８（ｂ））及び係止状態（図８（ｃ））を示したが、必要であれば途中の段階で固定するための機構を設けることも可能であり（図示せず）係止部材２２は、固着部材２１に対して図１０に示すように所定の範囲において昇降可能に配置することもできる。
【００２８】
さらに、図１１に示すように、係止部材２２には所定の上昇位置で前記固着部材２１に形成されているねじ孔２１１に連通するねじ孔２２４が形成されており、固着部材２１か
ら係止部材２２を取り外すことなしに連通させたねじ孔２２４とねじ孔２１１を連通させた状態で前記浴室６の壁面６１にねじ止めすることができるものである（図１１（ｂ））。
【００２９】
また、上側支持体２の係止部材２２または下側支持体３の係止部材３２に被せられるカバー体７は、図４に示すように、下面７１の一部に切欠７２を形成して水切れを良くするとともに、また、頂面７６は固着部材２１の頂面２１９と同様に水滴防止の意味を踏まえて中央を高くした湾曲面に形成されている。
【００３０】
加えて、カバー体７は、図４（ａ）に示すように頂面７６の両側面に滑り止め加工７３を施すことにより持ちやすくしているが、図４（ｂ）に示すように昇降機構を備えない下側支持体３のカバー体７については滑り止め加工７３を設けなくてもよく、設置場所等により適宜調節可能である。
【００３１】
そして、本実施の形態では係止部材２２の頂面に突設された突起２２５がカバー体７の頂面７６の裏面に形成された係止凹部７４に嵌め込み支持されることにより、着脱自在に構成されているためカバー体７を外すことにより、内部の清掃や、ねじ１０の調整することができる。
【００３２】
更に、本実施の形態ではカバー体７の裏面の所定位置に突設した突起７５，７５が前記係止部材２２の所定位置に形成されたねじ孔２２４，２２４に嵌め込まれるので上下逆に取り付ける心配がなく、また、使用時に係止部材２２を昇降させたときに例えば幼児のような細い指が、ねじ孔２２４，２２４に挟まれることもなく、さらに設置状況に応じて、上側支持体２と下側支持体３の係止部材２２、３２とカバー体７の大きさを変えることにより、カバー体７が上側支持体２と下側支持体３で取り違えて設置されることを防ぐような構成を加えてもよい。
【００３３】
一方、図１２は前記風呂蓋５の下部５１を支持するための下側支持体３の実施例を示すものであり、前記上側支持体２の固着部材２１と同型であるが、固着部材３１は特に昇降機構や所定位置の保持機構を有していないため前記係止部材２２と同様の係止部材３２を固着部材３１と一体に形成した構造であり、移動しない係止部材３２に前記上側支持体２の場合と同様の図４に示したカバー体７を同様の機構により被せたものであり、上側支持体２のカバー体７を用いることにより部品点数を少なくすることも可能である。
【００３４】
このような構成を有する本実施の形態では、前述のように、それぞれカバー体７，７を外した状態で、更に、上側支持体２については係止部材２２を上昇位置としてねじ１０を用いて壁面６１の所定の位置に固着し、それぞれカバー体７を被せて図１５に示したように浴室６の壁面６１に固着しておき、係止部材２２を掴んで所定の係止位置まで下降させるだけで下側支持体３に載せた風呂蓋５の上部５２を支持させることができる。
【００３５】
尚、本実施の形態では、固着部材２１の長さを例えば前記図１５に示した従来例のように所定の厚みを有する２枚に分割した風呂蓋５を前提としており、例えば図１４に示したように３分割以上の風呂蓋を用いる浴槽４の場合には、固着部材２１および３１の長さでは風呂蓋を重ねた時の厚みに対応できない場合が想定される。そこで図１３に示すように前記固着部材２１および３１と同形で長さのスペーサ８を前記固着部材２１および３１と壁面の間に追加して用いることにより各種の風呂蓋の厚みに合わせて適宜調節して使用することができ、予めいくつかの種類の高さのスペーサを用意しておくことにより経済面においても有利である。
【００３６】
特に、本実施の形態におけるスペーサ８は、図１３に示すように、固着部材２１および
３１とパッキン９を挟んで固着され、さらにスペーサ８と壁面６１の間にもパッキン９を配置し、水の浸入を防ぐようにした。
【００３７】
また、本実施の形態ではカバー体７に滑り止め加工７３を設けたので滑り防止効果を有しているが、カバー体７の幅を固着部材２１の幅よりも広く形成することにより側面に特別加工をすることなしに掴みやすくしてもよい（図示せず）。また、固着部材２１またはカバー体７の少なくとも一方の頂面２１９又は７６が屋根形に中央を高くして湾曲しており水滴が停滞せずに流れ落ちることにより、水滴が付着して汚染すること防止する。
【符号の説明】
【００３８】
１  支持装置、２  上側支持体、２ａ  支持部材、２ｂ  支持板、２１  固着部材、２１１  ねじ孔、２１２  嵌挿溝条、２１３  突条、２１４  係止突起、２１５  係止突起、２１６  溝条、２１７  係止凹部、２１８  係止凹部、２１９  頂面、２２  係止部材、２２１  溝条、２２２  嵌挿突条、２２３  先端に係止突起を有する弾性係止片、２２４  ねじ孔、２２５  突起、３  下側支持体、３１  固着部材、３２  係止部材、４  浴槽、５  風呂蓋、５１  下部、５２  上部、６  浴室、６１  壁面、６２  収容部、７  カバー体、７１  下面、７２  切欠、７３  滑り止め加工、７４  係止凹部、７５  突起、７６  頂面、８  スペーサ、９  パッキン、１０  ねじ
【図１】
2014147405.tif 000003
【図２】
2014147405.tif 000004
【図３】
2014147405.tif 000005
【図４】
2014147405.tif 000006
【図５】
2014147405.tif 000007
【図６】
2014147405.tif 000008
【図７】
2014147405.tif 000009
【図８】
2014147405.tif 000010
【図９】
2014147405.tif 000011
【図１０】
2014147405.tif 000012
【図１１】
2014147405.tif 000013
【図１２】
2014147405.tif 000014
【図１３】
2014147405.tif 000015
【図１４】
2014147405.tif 000016
【図１５】
2014147405.tif 000017
【図１６】
2014147405.tif 000018